(57)【要約】      （修正有）【課題】書物の特定の文書を印刷する場合に、品質の良い印刷物を得ることが可能な画像処理システム及び画像処理方法を提供する。【解決手段】文書画像読取部２０２は、書物の文書のうち、一頁分の文書の画像を読み取る。文書画像照合部２０３は、読み取られた文書の読取画像と、サーバー１０７に予め記憶された文書の登録画像とを照合し、読取画像と一致する登録画像が存在するか否かを検索する。文書画像取得部２０４は、読取画像と一致する登録画像が存在する場合、当該登録画像を取得する。文書画像印刷部２０５は、取得された登録画像に基づいて用紙に画像形成を実行する。【選択図】図２
2016143944.tif 000002
【特許請求の範囲】
【請求項１】
画像処理装置とサーバーとを含む画像処理システムであって、
書物の文書のうち、一頁分の文書の画像を読み取る文書画像読取部と、
前記読み取られた文書の読取画像と、前記サーバーに予め記憶された文書の登録画像とを照合し、前記読取画像と一致する登録画像が存在するか否かを検索する文書画像照合部と、
前記読取画像と一致する登録画像が存在する場合、当該登録画像を取得する文書画像取得部と、
前記取得された登録画像に基づいて用紙に画像形成を実行する文書画像印刷部と、
を備えることを特徴とする画像処理システム。
【請求項２】
前記文書画像取得部は、ユーザーからの頁数或いは章の入力に基づいて、前記登録画像を含む複数の画像を取得し、
前記文書画像印刷部は、前記取得された複数の画像に基づいて用紙に画像形成を実行する
請求項１に記載の画像処理システム。
【請求項３】
文書の画像のうち、頁番号、章タイトル、章番号、図、表、文字数のいずれか或いはこれらの組み合わせの照合対象に優先順位を予め付与した照合対象テーブルを更に備え、
前記文書画像照合部は、前記照合対象テーブルに基づいて、前記優先順位に従って、前記照合対象を選択し、当該照合対象に基づいて、前記読取画像と前記登録画像とを照合する
請求項１又は２に記載の画像処理システム。
【請求項４】
画像処理装置とサーバーとを含む画像処理システムの画像処理方法であって、
書物の文書のうち、一頁分の文書の画像を読み取る文書画像読取ステップと、
前記読み取られた文書の読取画像と、前記サーバーに予め記憶された文書の登録画像とを照合し、前記読取画像と一致する登録画像が存在するか否かを検索する文書画像照合ステップと、
前記読取画像と一致する登録画像が存在する場合、当該登録画像を取得する文書画像取得ステップと、
前記取得された登録画像に基づいて用紙に画像形成を実行する文書画像印刷ステップと、
を備えることを特徴とする画像処理方法。
【発明の詳細な説明】
【技術分野】
【０００１】
本発明は、画像処理システム及び画像処理方法に関する。
【背景技術】
【０００２】
スキャナー、複写機、複合機等の画像処理装置において、読み取った画像を検索する技術は多種存在する。例えば、特開２００９−２３０５５９号公報（特許文献１）には、特定のメモリーに登録されている文書情報（画像）に対して日時情報を検索し、日時情報に対応して文書情報の識別情報を付与し、文書情報の識別情報が付与された文書情報を上位に配置して表示する印刷装置が開示されている。これにより、定期的に使用する可能性の高い文書情報を容易に検索出来るとしている。
【先行技術文献】
【特許文献】
【０００３】
【特許文献１】特開２００９−２３０５５９号公報
【発明の概要】
【発明が解決しようとする課題】
【０００４】
近年、図書館等の書物施設において画像処理装置が定常的に設置され、ユーザーが私的使用目的で書物施設に置かれた書物の特定の文書を当該画像処理装置で印刷することが多くなっている。ここで、書物の文書自体に傷や汚れが付いていたり、書物の文書の色が褪せていたりすると、ユーザーが当該文書を印刷した際に、当該印刷物の品質が悪くなり、ユーザーが同じ文書を複数回印刷しなければならなくなり、印刷物に対するユーザーの満足度が低いという課題がある。
【０００５】
そこで、本発明は、前記課題を解決するためになされたものであり、書物の特定の文書を印刷する場合に、品質の良い印刷物を得ることが可能な画像処理システム及び画像処理方法を提供することを目的とする。
【課題を解決するための手段】
【０００６】
本発明の一の局面に係る画像処理システムは、画像処理装置とサーバーとを含む画像処理システムであって、文書画像読取部と、文書画像照合部と、文書画像取得部と、文書画像印刷部と、を備える。文書画像読取部は、書物の文書のうち、一頁分の文書の画像を読み取る。文書画像照合部は、前記読み取られた文書の読取画像と、前記サーバーに予め記憶された文書の登録画像とを照合し、前記読取画像と一致する登録画像が存在するか否かを検索する。文書画像取得部は、前記読取画像と一致する登録画像が存在する場合、当該登録画像を取得する。文書画像印刷部は、前記取得された登録画像に基づいて用紙に画像形成を実行する。
【０００７】
前記文書画像取得部は、ユーザーからの頁数或いは章の入力に基づいて、前記登録画像を含む複数の画像を取得し、前記文書画像印刷部は、前記取得された複数の画像に基づいて用紙に画像形成を実行する。
【０００８】
本発明は、文書の画像のうち、頁番号、章タイトル、章番号、図、表、文字数のいずれか或いはこれらの組み合わせの照合対象に優先順位を予め付与した照合対象テーブルを更に備え、前記文書画像照合部は、前記照合対象テーブルに基づいて、前記優先順位に従って、前記照合対象を選択し、当該照合対象に基づいて、前記読取画像と前記登録画像とを照合する。
【０００９】
本発明の一の局面に係る画像処理方法は、画像処理装置とサーバーとを含む画像処理システムの画像処理方法であって、文書画像読取ステップと、文書画像照合ステップと、文書画像取得ステップと、文書画像印刷ステップと、を備える。文書画像読取ステップは、書物の文書のうち、一頁分の文書の画像を読み取る。文書画像照合ステップは、前記読み取られた文書の読取画像と、前記サーバーに予め記憶された文書の登録画像とを照合し、前記読取画像と一致する登録画像が存在するか否かを検索する。文書画像取得ステップは、前記読取画像と一致する登録画像が存在する場合、当該登録画像を取得する。文書画像印刷ステップは、前記取得された登録画像に基づいて用紙に画像形成を実行する。
【発明の効果】
【００１０】
本発明の画像処理システム及び画像処理方法によれば、書物の特定の文書を印刷する場合に、品質の良い印刷物を得ることが可能となる。
【図面の簡単な説明】
【００１１】
【図１】本発明の実施形態に係る画像処理システムの全体構成を示す概念図である。
【図２】本発明の実施形態における画像処理システムの機能ブロック図である。
【図３】本発明の実施形態の実行手順を示すためのフローチャートである。
【図４】本発明の実施形態における操作画面の一例を示す図（図４（Ａ））と、本発明の実施形態における書物印刷画面の一例を示す図（図４（Ｂ））と、である。
【図５】本発明の実施形態における画像処理システムの登録画像のデータベースの一例を示す図（図５（Ａ））と、本発明の実施形態における読取画像と登録画像の一例を示す図（図５（Ｂ））と、である。
【図６】本発明の実施形態における単位受付画面の一例を示す図（図６（Ａ））と、本発明の実施形態における画像処理システムの登録画像の取得の一例を示す図（図６（Ｂ））と、である。
【図７】本発明の実施形態におけるエラー画面の一例を示す図（図７（Ａ））と、本発明の実施形態における照合対象テーブルの一例を示す図（図７（Ｂ））と、である。
【図８】本発明の実施形態における図或いは表を含む読取画像と登録画像の一例を示す図（図８（Ａ））と、本発明の実施形態における文書或いは全文書を含む読取画像と登録画像の一例を示す図（図８（Ｂ））と、である。
【発明を実施するための形態】
【００１２】
以下に、添付図面を参照して、本発明の画像処理システム及び画像処理方法の実施形態について説明し、本発明の理解に供する。尚、以下の実施形態は、本発明を具体化した一例であって、本発明の技術的範囲を限定する性格のものではない。又、フローチャートにおける数字の前に付されたアルファベットＳはステップを意味する。
【００１３】
以下に、本発明の実施形態の一例として、端末装置と画像処理装置とを含む画像処理システムについて説明する。尚、本発明の画像処理装置は、例えば、ファクシミリ、コピー、スキャナー、プリンター等の機能を備えた複合機（ＭＦＰ：Ｍｕｌｔｉ  Ｆｕｎｃｔｉｏｎ  Ｐｅｒｉｐｈｅｒａｌ）が該当する。
【００１４】
複合機１００は、図１に示すように、タッチパネルを含む操作部１０１を介してユーザーから原稿の印刷ジョブに関する設定条件を受け付けると、画像読取部１０２、用紙搬送部１０３、画像形成部１０４等の各部を駆動する。操作部１０１は、タッチパネルを備え、ユーザーからの設定条件の指示入力又は画面表示を可能とする。又、画像読取部１０２は、原稿台に載置された原稿又は自動原稿給送部に載置された原稿の画像を読み取る。更に、用紙搬送部１０３は、前記設定条件に基づいて、給紙カセット又は用紙が予め載置された手差しトレイから用紙を搬送する。画像形成部１０４は、搬送された用紙に、前記原稿の画像に対応するトナー像を転写し、定着ローラで定着して、画像形成を実行する。画像形成された用紙は、用紙搬送部１０３を介して、排紙トレイに排紙される。
【００１５】
ここで、複合機１００は、ネットワーク１０６に通信可能に接続された通信部１０５を備え、通信部１０５は、当該ネットワーク１０６に接続されたサーバー１０７（例えば、クラウド内のサーバー）と通信し、原稿の画像の送受信を実行する。そのため、この複合機１００とサーバー１０７とは画像処理システムを構成する。
【００１６】
尚、複合機１００、サーバー１０７の制御回路は、図示しないが、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＳＳＤ（Ｓｏｌｉｄ  Ｓｔａｔｅ  Ｄｒｉｖｅ）、ＨＤＤ（Ｈａｒｄ  Ｄｉｓｋ  Ｄｒｉｖｅ）、各駆動部に対応するドライバーを内部バスによって接続している。複合機１００、サーバー１０７のＣＰＵは、例えば、ＲＡＭを作業領域として利用し、ＲＯＭ、ＳＳＤ、ＨＤＤ等に記憶されているプログラムを実行し、当該実行結果に基づいてドライバーからのデータ、指示、信号、命令等を授受し、各種処理の実行に関する各駆動部の動作を制御する。又、駆動部以外の後述する各部（図２に示す）についても、ＣＰＵが、各プログラムを実行することで当該各部を実現する。ＲＯＭ、ＲＡＭ、ＳＳＤ、ＨＤＤ等には、以下に説明する各部を実現するプログラムやデータが記憶されている。
【００１７】
次に、図２、図３を参照しながら、本発明の実施形態に係る構成及び実行手順について説明する。先ず、ユーザーが、図書館等の書物施設に入り、当該書物施設に備えられた複合機１００を起動させると、当該複合機１００の表示受付部２０１が、予め設定された特定の操作画面４００を操作部１０１のタッチパネル上に表示させる（図３：Ｓ１０１）。
【００１８】
前記操作画面４００には、図４（Ａ）に示すように、印刷ジョブを示すメッセージ４０１と、当該印刷ジョブの設定条件を入力するための設定項目キー４０２と、書物を印刷するための書物印刷キー４０３とが表示される。
【００１９】
ユーザーは、書物施設から特定の書物を持ってきて、前記書物印刷キー４０３を選択すると、表示受付部２０１は、当該書物印刷キー４０３の選択を受け付けて、書物の印刷のための書物印刷画面４０４をタッチパネル上に表示させる（図３：Ｓ１０２）。
【００２０】
前記書物印刷画面４０４には、図４（Ｂ）に示すように、書物印刷を示すメッセージ４０５と、印刷対象の文書の読み取りを促すメッセージ４０６と、当該文書の画像の読み取りを開始するための文書読取キー４０７と、キャンセルキー４０８とが表示される。
【００２１】
ここで、ユーザーは、前記書物の文書を画像読取部１０２の原稿台に載置し、前記文書読取キー４０７を選択すると、表示受付部２０１は、当該文書読取キー４０７の選択を受け付けて、その旨を文書画像読取部２０２に通知する。当該通知を受けた文書画像読取部２０２は、前記書物の文書のうち、一頁分の文書の画像を読み取る（図３：Ｓ１０３）。
【００２２】
例えば、文書画像読取部２０２は、前記画像読取部１０２を制御して、前記文書の画像を読み取る。そして、文書画像読取部２０２が前記文書の画像の読取を完了すると、その旨を文書画像照合部２０３に通知する。当該通知を受けた文書画像照合部２０３は、ネットワーク１０６を介して通信可能に接続されたサーバー１０７にアクセスする（図３：Ｓ１０４）。
【００２３】
ここで、図５（Ａ）に示すように、購入直後等の綺麗な状態の書物の文書の画像５００が予め読み取られて、前記サーバー１０７の特定のメモリーＭに予め記憶されている。そのため、前記特定のメモリーＭは文書の画像のデータベースとなる。そこで、文書画像照合部２０３は、前記サーバー１０７の特定のメモリーＭに記憶された文書の画像５００の中から、一頁分の文書の画像５０１を登録画像として取得し、前記読み取られた文書の読取画像５０２と、前記取得した文書の登録画像５０１とを照合し、当該読取画像５０２と一致する登録画像５０１が存在するか否かを検索する（図３：Ｓ１０５）。
【００２４】
ここで、文書画像照合部２０３は、前記照合を実行する場合、例えば、図５（Ｂ）に示すように、前記文書の読取画像５０２のうち、周端５０２ａから中央に予め設定された特定の距離までの周縁画像領域５０２ａに存在する数字画像を検索する。前記数字画像５０２ｂ（例えば、「１２３」）が存在する場合、文書画像照合部２０３は、当該数字画像５０２ｂを頁番号として取得する。同様に、文書画像照合部５０２は、前記登録画像５０１のうち、周縁画像領域５０１ａに存在する数字画像５０１ｂ（例えば、「１２３」）を頁番号として取得する。そして、文書画像照合部２０３は、前記読取画像５０２の頁番号５０２ｂと、前記登録画像５０１の頁番号５０１ｂとを比較して、両者が一致する登録画像５０１を検索する。
【００２５】
尚、前記頁番号は、文書の種類により、例えば、「ｐ１２３」、「１２３頁」等、特定の文字（「ｐ」、「頁」等）と任意の数字との組み合わせで構成される場合もある。そのような場合には、文書画像照合部２０３は、前記特定の文字の文字画像及び数字画像を検索することで、前記頁番号を取得する。
【００２６】
ここで、頁番号のみでは、書物の文書を一義的に特定することは困難であるため、例えば、文書画像照合部２０３は、前記読取画像５０２の周縁画像領域５０２ａに存在する文字画像を検索し、前記文字画像５０２ｃ（例えば、「ＡＢＣ」）が存在する場合、文書画像照合部２０３は、当該文字画像５０２ｃを章タイトルとして取得する。同様に、文書画像照合部５０２は、前記登録画像５０１の周縁画像領域５０１ａに存在する文字画像５０１ｃ（例えば、「ＡＢＣ」）を章タイトルとして取得する。そして、文書画像照合部２０３は、前記読取画像５０２の章タイトル５０２ｃと、前記登録画像５０１の章タイトル５０１ｃとを比較して、両者が一致する登録画像５０１を検索する。
【００２７】
又、前記文字画像５０２ｃ、５０１ｃが、例えば、特定の文字（例えば、「第」、「章」等）の文字画像と任意の数字の数字画像との組み合わせ（例えば、「第１章」）である場合は、文書画像照合部２０３は、前記特定の文字の文字画像及び数字画像を検索することで、当該検索された文字画像５０２ｃ、５０１ｃを章番号として取得する。そして、文字画像照合部２０３は、前記読取画像５０２の頁番号５０２ｂと、前記登録画像５０１の頁番号５０１ｂとが一致し、且つ、前記読取画像５０２の章タイトル或いは章番号５０２ｂと、前記登録画像５０１の章タイトル或いは章番号５０１ｂとが一致した場合に、文書画像照合部２０３は、当該登録画像５０１を取得する。このように、前記頁番号、前記章タイトル或いは章番号を組み合わせることで、当該書物の文書の登録画像５００を一義的に検索することが出来る。又、前記頁番号、前記章タイトル或いは章番号は、画像の周縁画像領域に存在することから、ユーザーが文書の画像を読み取らせる場合に、画像読取領域を少なく済ませることが可能となる。又、書物の文書は、経年劣化により、汚れたり色褪せたりして、図５（Ｂ）に示すように、当該文書の読取画像５０２は、汚れが反映したり色褪せた状態となる。そのため、画像全体の照合に適さないが、本発明では、画像の頁番号、章タイトル或いは章番号を照合対象とすることで、書物の文書が汚い状態であっても、精度高く検索することが出来る。
【００２８】
ここで、前記照合の結果、前記読取画像５０２と一致する登録画像５０１が存在しない場合、文書画像照合部２０３は、前記サーバー１０７の特定のメモリーＭから、前記書物の別の文書或いは別の書物の文書の登録画像を取得し、上述と同様に、前記読取画像５０２と一致する登録画像５０１を検索する。
【００２９】
前記検索の結果、前記読取画像５０２と一致する登録画像５０１が存在する場合（図３：Ｓ１０５ＹＥＳ）、文書画像照合部２０３は、その旨を文書画像取得部２０４に通知する。当該通知を受けた文書画像取得部２０４は、前記書物の文書の単位を受け付けるための単位受付画面６００をタッチパネル上に表示させる（図３：Ｓ１０６）。
【００３０】
前記単位受付画面６００には、図６（Ａ）に示すように、印刷対象の文書が発見された旨のメッセージ６０１と、文書の単位の受付を示すメッセージ６０２と、発見された文書の登録画像５０１のプレビュー６０３と、発見された登録画像５０１の頁数６０４（「１２３」）と、頁数の入力欄６０５と、発見された登録画像５０１の章６０６（「第１章」）と、章の入力欄６０７と、印刷の設定条件を入力するための印刷設定キー６０８と、印刷するための印刷キー６０９と、キャンセルキー６１０とが表示される。
【００３１】
ユーザーは、前記単位受付画面６００を見ながら、例えば、前記読取画像５０２のみの印刷で良ければ、前記頁数の入力欄６０７及び前記章の入力欄６０７に値を入力すること無く、前記印刷キー６０９を選択すれば、文書画像取得部２０４は、当該印刷キー６０９の選択を受け付けて、前記読取画像５０２と一致した登録画像５０１のみを取得し（図３：Ｓ１０７）、その旨を文書画像印刷部２０５に通知する。当該通知を受けた文書画像印刷部２０５は、用紙搬送部１０３及び画像形成部１０４を駆動し、前記取得された登録画像５０１に基づいて用紙に画像形成を実行する（図３：Ｓ１０８）。文書画像印刷部２０５は、例えば、前記登録画像５０１に対応するトナー像を形成し、当該トナー像を前記用紙に転写して、定着ローラで定着し、印刷物を排紙する。これにより、ユーザーは、自分が読み取った書物の文書の読取画像５０２で無く、当該読取画像５０２と一致する登録画像５０１で画像形成された印刷物を取得することが出来る。通常の書物の印刷では、当該書物の文書に汚れや色褪せが生じている場合或いは原稿台（コンタクトガラス）が傷ついている場合、ユーザーは、これらを反映した汚い印刷物を手に入れることになるが、印刷物が不良という問題になる。本発明では、綺麗な状態の書物の文書から読み取られた登録画像５０１を予めサーバー１０７に蓄積しておき、書物の印刷の際に、当該登録画像５０１で印刷するため、ユーザーは、綺麗な状態の文書の印刷物を手に入れることが可能となる。
【００３２】
ところで、Ｓ１０６において、ユーザーが、複数の登録画像５０１で印刷する場合は、下記のようになる。即ち、ユーザーは、前記単位受付画面６００を見ながら、例えば、前記プレビュー６０３の１２３頁から２０頁目の１４４頁まで印刷したい場合、前記頁数の入力欄６０７に特定の頁数「２０」を入力し、前記印刷キー６０９を選択する。すると、文書画像取得部２０４は、前記印刷キー６０９の選択及び前記特定の頁数の入力を受け付けて、前記サーバー１０７の特定のメモリーＭにアクセスし、図６（Ｂ）に示すように、書物の文書の画像５００から、前記登録画像５０１から前記特定の頁数（「２０」）までの複数の画像５０３を取得する（図３：Ｓ１０７）。そして、文書画像印刷部２０５は、前記複数の画像５０３に基づいて用紙に画像形成を実行する（図３：Ｓ１０８）。このように、ユーザーが印刷対象の画像に関係する頁数を入力することで、一度読み取らせた文書から当該頁数までの印刷を容易に行うことが出来る。そのため、従来のように、ユーザーが書物の頁を一枚ずつ複合機１００に読み取らせる手間を解消することが出来て、手を煩わせることも無く、容易に書物の文書の印刷物を手に入れることが出来る。又、ユーザーは、一回の書物の文書の画像読取で、必要な頁数の印刷を簡単にすることが出来る。
【００３３】
又、ユーザーが、複数の画像５０３で印刷を実行させる際に、例えば、前記印刷設定キー６０８を選択して、集約印刷や両面印刷等の設定条件を入力した上で、当該複数の画像５０３の印刷を実行させれば、ユーザーの利便性を向上させることが可能となる。
【００３４】
一方、Ｓ１０５において、前記検索の結果、前記読取画像５０２と一致する登録画像５０１が存在しない場合（図３：Ｓ１０５ＮＯ）、例えば、前記サーバー１０７の特定のメモリーＭに印刷対象の画像が未だ蓄積されていない場合、文書画像照合部２０３は、その旨を表示受付部２０１に通知し、当該通知を受けた表示受付部２０１は、書物の文書の画像が無い旨のエラー画面７００をタッチパネル上に表示させる（図３：Ｓ１０９）。
【００３５】
前記エラー画面７００には、図７（Ａ）に示すように、印刷対象の文書が存在しない旨のメッセージ７０１と、ユーザーに書物の文書の画像を一枚ずつスキャンすることを促すメッセージ７０２と、ＯＫキー７０３とが表示される。この場合は、ユーザーは、前記ＯＫキー７０３を選択し、前記操作画面４００を介して、通常の印刷方法で書物の文書を印刷することになる。
【００３６】
ところで、Ｓ１０５において、文書画像照合部２０３は、前記画像の頁番号、章タイトル或いは章番号を照合対象としたが、他の画像を照合対象としても良い。例えば、ユーザーによる書物の文書の画像の読取形態により、文書が原稿台に対してズレていたり、前記周縁画像領域の一部が欠落して、前記画像の頁番号、章タイトル或いは章番号を抽出出来なかったりする場合も存在する。そのような場合に、予め照合対象に優先順位を付与しておき、文書画像照合部２０３は、前記優先順位に従って、前記照合対象を選択し、当該照合対象に基づいて、前記読取画像５０２と、前記登録画像５０１とを照合しても良い。
【００３７】
例えば、図７（Ｂ）に示すように、優先順位７０５（例えば、「１」、「２」等）に照合対象７０６（例えば、「頁番号、章タイトル／章番号」、「章タイトル／章番号、図／表」等）を関連付けた照合対象テーブル７０４を予め用意する。そして、文書画像照合部２０３は、前記検索の際に、前記照合対象テーブル７０４を参照し、優先順位７０５が最も高い（「１」）照合対象７０６（「頁番号、章タイトル／章番号」）を取得する。
【００３８】
ここで、前記照合対象７０６が「頁番号、章タイトル／章番号」である場合は、文書画像照合部２０３は、上述のように、前記読取画像５０２の頁番号５０２ｂと、章タイトル或いは章番号５０２ｃとを取得するとともに、前記登録画像５０１の頁番号５０２ｂと、章タイトル或いは章番号５０２ｃとを取得し、前記読取画像５０２の頁番号５０２ｂと、前記登録画像５０１の頁番号５０１ｂとが一致し、且つ、前記読取画像５０２の章タイトル或いは章番号５０２ｂと、前記登録画像５０１の章タイトル或いは章番号５０１ｂとが一致するか否かを判定する。
【００３９】
ここで、例えば、ユーザーの書物の文書の読取形態が悪く、文書画像照合部２０３が、前記読取画像５０２の頁番号５０２ｂを適切に取得出来なかった場合、前記優先順位７０５が次に高い（「２」）照合対象７０６（「章タイトル／章番号、図／表」）を取得する。
【００４０】
ここで、前記照合対象７０６が「章タイトル／章番号、図／表」である場合は、文書画像照合部２０３は、図８（Ａ）に示すように、前記読取画像５０２の章タイトル或いは章番号５０２ｃと、前記読取画像５０２の内部に存在する図或いは表５０２ｄとを取得するとともに、前記登録画像５０１の章タイトル或いは章番号５０２ｃと、前記読取画像５０２の内部に存在する図或いは表５０１ｄとを取得する。そして、前記読取画像５０２の章タイトル或いは章番号５０２ｂと、前記登録画像５０１の章タイトル或いは章番号５０１ｂとが一致し、且つ、前記読取画像５０２の図或いは表５０２ｄと、前記登録画像５０１の図或いは表５０１ｄとが一致するか否かを判定する。尚、前記図或いは表５０１ｄ、５０２ｄの照合は、例えば、パターンマッチング処理により行われる。これにより、頁番号が読み取れない場合であっても、前記登録画像５０１を検索することが出来る。
【００４１】
又、例えば、書物の文書の種類により、図或いは表が存在しない場合、文書画像照合部２０３が、前記読取画像５０２の図或いは表５０２ｄを適切に取得出来ない。この場合は、文書画像照合部２０３が、前記優先順位７０５が次に高い（「３」）照合対象７０６（「文字数」）を取得する。
【００４２】
ここで、前記照合対象７０６が「文字数」である場合は、文書画像照合部２０３は、図８（Ｂ）に示すように、前記読取画像５０２の内部に存在する文字画像のうち、特定の端部（読取画像５０２の長手方向の右上端部）の最初の文字画像５０２ｅから予め設定された特定文字数（例えば、「５０」、「１００」等）だけの複数の文字画像に対応する文書５０２ｆを取得するとともに、前記登録画像５０１の文字画像のうち、前記特定の端部の最初の文字画像５０１ｅから前記特定文字数だけの複数の文字画像に対応する文書５０１ｆを取得する。そして、文書画像照合部２０３は、前記読取画像５０２の文書５０２ｆと、前記登録画像５０１の文書５０１ｆとが一致するか否かを判定する。これにより、図或いは表が存在しない場合であっても、前記登録画像５０１を検索することが出来る。尚、文書画像照合部２０３は、前記文書５０１ｆ、５０２ｆと、前記頁番号５０１ｂ、５０２ｂ、前記章タイトル或いは章番号５０１ｃ、５０２ｃとを組み合わせて、前記登録画像５０１を検索しても良い。
【００４３】
又、例えば、章タイトル或いは章番号が存在しない場合、又は、上述の照合対象で特定の登録画像５０１が検索されない場合、文書画像照合部２０３が、前記優先順位７０５が次に高い（「４」）照合対象７０６（「頁番号、図／表」）を取得する。
【００４４】
ここで、前記照合対象７０６が「頁番号、図／表」である場合は、文書画像照合部２０３は、前記読取画像５０２の頁番号５０２ｂと、図或いは表５０２ｄとを取得するとともに、前記登録画像５０１の頁番号５０１ｂと、図或いは表５０１ｄとを取得し、前記読取画像５０２の頁番号５０２ｂと、前記登録画像５０１の頁番号５０１ｂとが一致し、且つ、前記読取画像５０２の図或いは表５０２ｄと、前記登録画像５０１の図或いは表５０１ｄとが一致するか否かを判定する。これにより、章タイトル或いは章番号が存在しない場合であっても、前記登録画像５０１を検索することが出来る。
【００４５】
更に、章タイトル或いは章番号が存在せず、図或いは表も存在しない場合、文書画像照合部２０３が、前記優先順位７０５が次に高い（「５」）照合対象７０６（「頁番号、文字数」）を取得する。
【００４６】
ここで、前記照合対象７０６が「頁番号、文字数」である場合は、文書画像照合部２０３は、前記読取画像５０２の頁番号５０２ｂと、前記文書５０２ｆとを取得するとともに、前記登録画像５０１の頁番号５０１ｂと、前記文書５０１ｆとを取得し、前記読取画像５０２の頁番号５０２ｂと、前記登録画像５０１の頁番号５０１ｂとが一致し、且つ、前記読取画像５０２の文書５０２ｆと、前記登録画像５０１の文書５０１ｆとが一致するか否かを判定する。これにより、章タイトル或いは章番号が存在せず、図或いは表も存在しない場合であっても、前記登録画像５０１を検索することが出来る。
【００４７】
又、頁番号、章タイトル或いは章番号、図或いは表が全く存在しない場合、文書画像照合部２０３が、前記優先順位７０５が最後の（「６」）照合対象７０６（「全ての文字数」）を取得する。
【００４８】
ここで、前記照合対象７０６が「全ての文字数」である場合は、文書画像照合部２０３は、図８（Ｂ）に示すように、前記読取画像５０２の内部に存在する全ての文字画像に対応する全文書５０２ｇを取得するとともに、前記登録画像５０１の内部に存在する全ての文字画像に対応する全文書５０１ｇを取得する。そして、文書画像照合部２０３は、前記読取画像５０２の全文書５０２ｇと、前記登録画像５０１の全文書５０１ｇとが一致するか否かを判定する。これにより、頁番号、章タイトル或いは章番号、図或いは表が全く存在しない場合であっても、前記登録画像５０１を検索することが出来る。
【００４９】
尚、文書画像照合部２０３は、前記照合対象７０６の６種類を用いても、前記登録画像５０１を検索することが出来なかった場合、表示受付部２０１は、前記エラー画面７００をタッチパネル上に表示させる（図３：Ｓ１０９）。
【００５０】
又、前記照合対象テーブル７０４の構成は、上述に限定されず、例えば、文書の画像のうち、頁番号、章タイトル、章番号、図、表、文字数のいずれか或いはこれらの組み合わせを照合対象とし、各照合対象毎に優先順位が付与されれば、前記照合対象テーブル７０４の構成は、どのような構成でも構わない。
【００５１】
又、上述では、ユーザーが、前記頁数の入力欄６０７に特定の頁数「２０」を入力した場合について説明したが、例えば、ユーザーが、前記章の入力欄６０７に特定の章「第１章」を入力し、前記印刷キー６０９を選択する。この場合は、文書画像取得部２０４は、前記印刷キー６０９の選択及び前記特定の章の入力を受け付けて、前記サーバー１０７の特定のメモリーＭにアクセスし、書物の文書の画像５００から、前記登録画像５０１を含む前記特定の章（「第１章」）に属する複数の画像５０３を取得する（図３：Ｓ１０７）。そして、文書画像印刷部２０５は、前記複数の画像５０３に基づいて用紙に画像形成を実行する（図３：Ｓ１０８）。このように、ユーザーが印刷対象の画像に関係する章を入力しても、書物のうち、必要な章の文書を簡単に印刷することが出来る。
【００５２】
又、画像処理システムの複合機１００、サーバー１０７が各部を備えるよう構成したが、当該各部を実現するプログラムを記憶媒体に記憶させ、当該記憶媒体を提供するよう構成しても構わない。当該構成では、前記プログラムを、画像処理装置、サーバーに読み出させ、画像処理装置、サーバーが前記各部を実現する。その場合、前記記録媒体から読み出されたプログラム自体が本発明の作用効果を奏する。さらに、各手段が実行するステップをハードディスクに記憶させる方法として提供することも可能である。
【産業上の利用可能性】
【００５３】
以上のように、本発明に係る画像処理システム及び画像処理方法は、複合機、複写機等の画像処理装置を含む画像処理システムに有用であり、書物の特定の文書を印刷する場合に、品質の良い印刷物を得ることが可能な画像処理システム及び画像処理方法として有効である。
【符号の説明】
【００５４】
１００  複合機
１０７  サーバー
２０１  表示受付部
２０２  文書画像読取部
２０３  文書画像照合部
２０４  文書画像取得部
２０５  文書画像印刷部
【図１】
2016143944.tif 000003
【図２】
2016143944.tif 000004
【図３】
2016143944.tif 000005
【図４】
2016143944.tif 000006
【図５】
2016143944.tif 000007
【図６】
2016143944.tif 000008
【図７】
2016143944.tif 000009
【図８】
2016143944.tif 000010